(57)【要約】【課題】本考案は、泥棒を威嚇し屋内に侵入させないようにすることが可能な、威嚇機能を備えた照明器具を提供する。【解決手段】照明部材と、威嚇モジュールとからなる。前記照明部材は、発光部を備え、前記威嚇モジュールは、前記照明部材内に設けられ、前記威嚇モジュールは、前記発光部に電気的に接続され、前記威嚇モジュールは、設定した時間及びモードに応じて、前記照明部材の点灯と消灯の時間及び明るさの時間の制御及び点灯と消灯及び明るさの切換えをすることができる。前記威嚇モジュールには、それぞれ、受信ユニットが設けられ、受信ユニットは、有線或いは無線信号を受信する。【選択図】図１
0003176856.tif 000002
【実用新案登録請求の範囲】
【請求項１】
照明部材と、威嚇モジュールとからなる威嚇機能を備えた照明器具であって、
前記照明部材は、発光部を備え、
前記威嚇モジュールは、前記照明部材内に設けられ、前記威嚇モジュールは、前記発光部に電気的に接続され、前記威嚇モジュールは、設定した時間及びモードに応じて、前記照明部材の点灯と消灯の時間及び明るさの時間の制御及び点灯と消灯及び明るさの切換えをすることができることを特徴とする、威嚇機能を備えた照明器具。
【請求項２】
前記照明部材は、電球、或いは、蛍光灯、或いは、ＬＥＤ電球、或いは、ＬＥＤ蛍光灯、或いは、嵌め込み式電灯の内の一つであり、照明部材内の前記威嚇モジュールは、マイクロコンピューターコントローラーであり、前記威嚇モジュールには、さらに、受信ユニットが設けられ、前記受信ユニットは、有線或いは無線信号を受信することを特徴とする、請求項１に記載の威嚇機能を備えた照明器具。
【請求項３】
複数の照明部材と、威嚇モジュールとからなる威嚇機能を備えた照明器具であって、
前記照明部材は、発光部をそれぞれ備え、
前記威嚇モジュールは、前記照明部材と分離して設けられ、前記威嚇モジュールは、前記発光部のすべてに電気的に接続され、前記威嚇モジュールは、設定した時間及びモードに応じて、前記照明部材の点灯と消灯の時間及び明るさの時間の制御及び点灯と消灯及び明るさの切換えをすることができ、それにより、人が室内を移動しているように見せかけて、空き巣を威嚇し室内に侵入するのを防ぐことができる効果がある、威嚇機能を備えた照明器具。
【請求項４】
前記照明部材は、電球、或いは、蛍光灯、或いは、ＬＥＤ電球、或いは、ＬＥＤ蛍光灯、或いは、嵌め込み式電灯の内の一つであり、前記照明部材に電気的に接続された前記威嚇モジュールは、マイクロコンピューターコントローラーであり、前記威嚇モジュールには、さらに、受信ユニットが設けられ、前記受信ユニットは、有線或いは無線信号を受信することを特徴とする、請求項３に記載の威嚇機能を備えた照明器具。
【考案の詳細な説明】
【技術分野】
【０００１】
本考案は照明器具に関し、特に泥棒を威嚇し屋内に侵入させないようにすることが可能な、威嚇機能を備えた照明器具に関する。
【背景技術】
【０００２】
一般的に言うと、一人暮らしをしていたり、一日二日外出して家にいなかったりする時、少なくとも一つの電灯をつけっぱなしにすることがたびたびある。それにより、  夜遅く帰ってきた時に、ドアを開ければ部屋の中をはっきり見ることができるし、また、夜遅くに電気がついていないことで空き巣に部屋に誰もいないことを知られてしまうのを防ぐことができる。しかしながら、電気を一日中つけっ放しにすることは、逆に空き巣の注意をひいてしまうし、エネルギーの無駄遣いである。そこで、タイマー式照明器具が発明された。
【０００３】
タイマー式照明器具は、電灯に時計を取り付け、時計が設定した点灯の時間に達した時、電灯が点灯し、設定した消灯の時間になると消灯する。タイマー式照明器具を使うと、特定の時間の間、電灯をつけることができるものの、照明を単純に維持することができるだけである。電灯をつける部屋や明かりを変化させることはできず、空き巣に注意深く観察されたり、電灯がずっとつけっぱなしだと勘違いされたりすると、侵入されるおそれがある。
【考案の概要】
【考案が解決しようとする課題】
【０００４】
そこで、本考案は、泥棒を威嚇し屋内に侵入させないようにすることが可能な、威嚇機能を備えた照明器具を提供することを目的とする。
【課題を解決するための手段】
【０００５】
上述の目的を達成するために、本考案の主な構造は、複数の照明部材及び複数の威嚇モジュールを備える。前記威嚇モジュール内には、さらに、受信ユニットが設けられ、受信ユニットは、有線或いは無線信号を受信する。前記威嚇モジュールは、前記照明部材内に、それぞれ設けられ、前記照明部材は、それぞれ、発光部を備え、前記発光部は、その照明部材内の威嚇モジュールに電気的にそれぞれ接続される。前記威嚇モジュールが起動した時、前記威嚇モジュールは、設定した時間及びモードに応じて、前記照明部材の点灯と消灯の時間及び明るさの時間の制御及び点灯と消灯及び明るさの切換えをすることができる。それによって、人が室内を移動したり、眠る前に電灯を切り替えたりしているように見せかけることができる。上述の技術により、従来のタイマー式照明器具に存在していた、特定の時間に照明をつけることしかできないという問題を解決し、空き巣を威嚇して室内に侵入しないようにすることができる。
【図面の簡単な説明】
【０００６】
【図１】本考案の実施例１を示した透視図である。
【図２】本考案の実施例２の実施を示した説明図である。
【図３Ａ】本考案の実施例２の動作を示した説明図１である。
【図３Ｂ】本考案の実施例２の動作を示した説明図２である。
【図３Ｃ】本考案の実施例２の動作を示した説明図３である。
【考案を実施するための形態】
【０００７】
（実施例１）
図１を参照する。図１は、本考案の実施例１を示した透視図である。図から分かるように、本考案による威嚇機能を備えた照明器具は、照明部材２を備え、照明部材２は、電球、蛍光灯、ＬＥＤ電球、ＬＥＤ蛍光灯、或いは、嵌め込み式電灯の内の一つである。また、上述の照明部材２は、一つの実施形態にすぎず、その種類はこれに限らないものとする。また、照明部材２は、発光部２１を備え、発光部２１は、照明部材２の点灯と消灯及び明るさの時間の制御及び点灯と消灯及び明るさの切換えをすることができる威嚇モジュール１に電気的に接続される。また、威嚇モジュール１は、マイクロコンピューターコントローラーであり、上述した威嚇モジュール１は、一つの実施形態にすぎず、その種類はこれに限らないものとする。また、威嚇モジュール１は、照明部材２内に設けられ、威嚇モジュール１内には、さらに、受信ユニット１１が設けられ、受信ユニット１１は、有線或いは無線信号を受信する。上述の構造、組合せによる本考案を使用した際の作動について以下に説明を行う。有線或いは無線信号が、受信ユニット１１に伝達され、威嚇モジュール１が起動されると、威嚇モジュール１は、設定した時間及びモードに応じて、照明部材２の発光部２１を制御し、点灯と消灯及び明るさの保持及び切換えをすることができる。また、タイマーで、発光部２１の点灯消灯を切り換えることができる。
【０００８】
（実施例２）
図２から図３Ｃを参照する。図２は、本考案の実施例２の実施を示した説明図であり、図３Ａから図３Ｃは、本考案の実施例２の動作を示した説明図１から３である。図から分かるように、本考案による威嚇機能を備えた照明器具は、複数の照明部材２ａを備える。また、複数の照明部材２ａは、電球、蛍光灯、ＬＥＤ電球、ＬＥＤ蛍光灯、或いは、嵌め込み式電灯の内の一つである。上述した照明部材２ａは、一つの実施形態にすぎず、その種類はこれに限らないものとする。また、複数の照明部材２ａは、それぞれ発光部２１ａを備える。発光部２１ａは、照明部材２ａの点灯と消灯及び明るさの時間の制御及び点灯と消灯及び明るさの切換えする威嚇モジュール１ａに電気的に接続される。また、威嚇モジュール１ａはマイクロコンピューターコントローラーであり、上述した威嚇モジュール１ａは、一つの実施形態にすぎず、その種類はこれに限らないものとする。威嚇モジュール１ａは、照明部材２ａと分けて設けられ、威嚇モジュール１ａ内には、受信ユニット１１ａがさらに設けられ、受信ユニット１１ａは、有線或いは無線信号を受信する。
【０００９】
上述の構造、組合せによる本考案を使用したときの作動について、以下に説明を行う。まず、複数の威嚇機能を備えた照明器具を、異なる、或いは、同じ部屋内にそれぞれ取り付ける。有線、或いは、無線信号が受信ユニット１１ａに伝達され、威嚇モジュール１ａが起動した時、威嚇モジュール１ａは、設定された時間及びモードに応じて、照明部材２ａの発光部２１ａを制御し、点灯と消灯及び明るさの保持及び切換えをすることができる。また、タイマーで、発光部２１ａの点灯消灯を切り換えることができる。それにより、家の中の少なくとも一つの部屋はあかりを維持し、その他の部屋は、時間ごとに、照明部材２ａの点灯と消灯を切り換えることができる。以上により、人が室内を移動して電灯をつけたり消したりしているように見せかけることができる。空き巣３ａが屋外から室内に侵入しようとする時、明りがついているかどうか、影があるかどうか窓から見ることによって中に人がいるかどうか判断する（図３Ａを参照）ため、部屋の中の灯かりがついたりする等の変化に気付くと（図３Ｂを参照）、部屋の中に人がいる確率が高いと判断して、部屋に入るのをあきらめる（図３Ｃを参照）。また、人が一般的に寝ている時間（例えば、深夜１時から朝６時までの間）、威嚇モジュール１ａが、発光部２１ａの明るさを制御、調整し、発光部２１ａの明るさを暗くすることで、室内の人が眠るために照明を豆電球に切り換えているように見せかけることができ、灯かりを、より人が実際に生活しているように見せることができる。
【００１０】
全ての図を参照する。本考案を使用すると、従来の技術と比較して、以下の利点が存在する。威嚇モジュール１ａによって、複数の照明部材２ａをそれぞれ制御し、点灯と消灯及び明るさの保持及び切換えをすることができるため、人が室内を移動して電灯をつけたり消したりしているように、或いは、眠る前に電灯の明るさを暗くしているように見せかけることができる。それにより、空き巣３ａを威嚇して、室内に侵入しないようにさせることができる。
【符号の説明】
【００１１】
１、１ａ      威嚇モジュール
１１、１１ａ  受信ユニット
２、２ａ      照明部材
２１、２１ａ  発光部
３ａ          空き巣
【図１】
0003176856.tif 000003
【図２】
0003176856.tif 000004
【図３Ａ】
0003176856.tif 000005
【図３Ｂ】
0003176856.tif 000006
【図３Ｃ】
0003176856.tif 000007